(57)【要約】【課題】利用者の意志や意識に関係なく、所定の処理（例えば、社内情報の通知やｅラーニングによる社員教育など）を確実にかつ徹底して行なえるシステム環境を提供する。【解決手段】所定の処理をクライアント端末１０に強制実行させるエージェントファイルを保持する保持手段２１と、クライアント端末１０からの実行指示を受けると保持手段２１におけるエージェントファイルを実行する実行手段２２とをファイルサーバ２０にそなえるとともに、クライアント端末１０の起動時にファイルサーバ２０におけるエージェントファイルを実行させるべく前記実行指示をファイルサーバ２０に送信する実行指示手段１１をクライアント端末１０にそなえる。【選択図】図１
2006127402.tif 000002
【特許請求の範囲】
【請求項１】
各種ファイルの管理を行なうファイルサーバと、
該ファイルサーバにおける前記各種ファイルを利用すべく該ファイルサーバと相互に通信可能に接続されたクライアント端末とをそなえ、
該ファイルサーバが、
所定の処理を該クライアント端末に強制実行させるエージェントファイルを保持する保持手段と、
該クライアント端末からの実行指示を受けると該保持手段における該エージェントファイルを実行する実行手段とをそなえて構成されるとともに、
該クライアント端末が、
該クライアント端末の起動時に該ファイルサーバにおける該エージェントファイルを実行させるべく前記実行指示を該ファイルサーバに送信する実行指示手段をそなえて構成されていることを特徴とする、情報処理システム。
【請求項２】
該保持手段が、前記所定の処理として複数の異なる処理を該クライアント端末にそれぞれ強制実行させる複数のエージェントファイルを保持するとともに、該複数のエージェントファイルの実行スケジュールを保持し、
該実行手段が、該クライアント端末からの実行指示を受けると、前記実行スケジュールに従って該複数のエージェントファイルのうちの少なくとも一つを実行することを特徴とする、請求項１記載の情報処理システム。
【請求項３】
該クライアント端末において該クライアント端末の利用者が前記所定の処理の完了を確認したことを検知する検知手段をそなえ、
該検知手段によって前記所定の処理の完了確認を検知するまで該クライアント端末において前記所定の処理を継続実行させることを特徴とする、請求項１または請求項２に記載の情報処理システム。
【請求項４】
該ファイルサーバおよび該クライアント端末と相互に通信可能に接続され、該クライアント端末を管理する管理サーバをさらにそなえ、
該管理サーバが、該ファイルサーバでの該エージェントファイルの実行に応じて、該クライアント端末に前記所定の処理を実行させることを特徴とする、請求項１記載の情報処理システム。
【請求項５】
該管理サーバが、該クライアント端末における資産情報を収集し該クライアント端末における資産を管理する資産管理サーバであることを特徴とする、請求項４記載の情報処理システム。
【請求項６】
該クライアント端末が、該クライアント端末の起動時に、該資産管理サーバによる前記資産情報の収集動作と並行して前記所定の処理を実行することを特徴とする、請求項５記載の情報処理システム。
【請求項７】
該エージェントファイルが、前記所定の処理として、該クライアント端末の利用者に対する電子教育を該クライアント端末に実行させることを特徴とする、請求項１〜請求項６のいずれか一項に記載の情報処理システム。
【請求項８】
該保持手段が、前記所定の処理として、曜日毎に異なる科目の電子教育を行なうべく複数の科目の電子教育を該クライアント端末にそれぞれ強制実行させる複数のエージェントファイルを保持するとともに、該複数のエージェントファイルの曜日毎の実行スケジュールを保持し、
該実行手段が、該クライアント端末からの実行指示を受けると、前記実行スケジュールを参照し曜日に応じたエージェントファイルを実行することを特徴とする、請求項７記載の情報処理システム。
【請求項９】
該クライアント端末において、該クライアント端末の利用者が所定数の問題について解答を行なうまで前記電子教育を継続実行させることを特徴とする、請求項７または請求項８に記載の情報処理システム。
【請求項１０】
該クライアント端末において、該クライアント端末の利用者が所定数の問題について解答を行なった後に当該問題についての解説を参照したことを確認するための参照確認ボタンを該クライアント端末の表示部に表示し、当該参照確認ボタンがクリック操作されるまで前記電子教育についての表示画面を該表示部上で継続表示させることを特徴とする、請求項７または請求項８に記載の情報処理システム。
【請求項１１】
該クライアント端末において、前記所定数の問題についての解答が不正解であった場合に前記解説および該参照確認ボタンの表示を行なうことを特徴とする、請求項１０記載の情報処理システム。
【請求項１２】
該クライアント端末において、前記所定数の問題についての解答が正解であった場合には前記解説および該参照確認ボタンの表示を行なうことなく前記電子教育を終了させることを特徴とする、請求項１０または請求項１１に記載の情報処理システム。
【請求項１３】
該エージェントファイルが、前記所定の処理として、該クライアント端末の利用者に対する情報通知を該クライアント端末に実行させることを特徴とする、請求項１〜請求項１２のいずれか一項に記載の情報処理システム。
【請求項１４】
該クライアント端末において、該クライアント端末の利用者が前記情報通知の内容を参照したことを確認するための参照確認ボタンを該クライアント端末の表示部に表示し、当該参照確認ボタンがクリック操作されるまで前記情報通知を継続実行させることを特徴とする、請求項１３記載の情報処理システム。
【請求項１５】
クライアント端末によって利用される各種ファイルの管理を行なうファイルサーバを、
所定の処理を該クライアント端末に強制実行させるエージェントファイルを保持する保持手段、および、
該クライアント端末からの実行指示を受けると該保持手段における該エージェントファイルを実行する実行手段として機能させることを特徴とする、プログラム。
【請求項１６】
該保持手段が、前記所定の処理として複数の異なる処理を該クライアント端末にそれぞれ強制実行させる複数のエージェントファイルを保持するとともに、該複数のエージェントファイルの実行スケジュールを保持し、且つ、
該実行手段が、該クライアント端末からの実行指示を受けると、前記実行スケジュールに従って該複数のエージェントファイルのうちの少なくとも一つを実行するように、
該ファイルサーバを機能させることを特徴とする、請求項１５記載のプログラム。
【請求項１７】
ファイルサーバにおける各種ファイルを利用すべく該ファイルサーバと相互に通信可能に接続されたクライアント端末を、
該クライアント端末の起動時に、該ファイルサーバに保持されている、所定の処理を該クライアント端末に強制実行させるエージェントファイルを該ファイルサーバに実行させるべく、実行指示を該ファイルサーバに送信する実行指示手段として機能させることを特徴とする、プログラム。
【請求項１８】
該クライアント端末において該クライアント端末の利用者が前記所定の処理の完了を確認したことを検知する検知手段として、該クライアント端末を機能させるとともに、
該検知手段によって前記所定の処理の完了確認を検知するまで該クライアント端末において前記所定の処理を継続実行させることを特徴とする、請求項１７記載のプログラム。
【請求項１９】
該エージェントファイルが、前記所定の処理として、該クライアント端末の利用者に対する電子教育を該クライアント端末に実行させることを特徴とする、請求項１５〜請求項１８のいずれか一項に記載のプログラム。
【請求項２０】
該エージェントファイルが、前記所定の処理として、該クライアント端末の利用者に対する情報通知を該クライアント端末に実行させることを特徴とする、請求項１５〜請求項１９のいずれか一項に記載のプログラム。
【発明の詳細な説明】
【技術分野】
【０００１】
本発明は、クライアント端末とファイルサーバとを、ＬＡＮ（Local Area Network）等のネットワークを介して相互に通信可能に接続して構築された情報処理システムや、同情報処理システムを構築するためのプログラムに関し、例えば、企業内において、クライアント端末を使用する社員に、そのクライアント端末を用いて、社内情報等を確実に通知したり、ｅラーニング（e-learning；インターネットやイントラネットを使った電子教育システム）による社員教育を確実に実行させたりするための技術に関する。
【背景技術】
【０００２】
一般に、企業内等で構築される情報処理システムにおいては、各社員によって操作・使用されるＰＣ（Personal Computer）等のクライアント端末（情報処理装置；以下、単に「端末」という場合がある）が、ＬＡＮを介し、他のクライアント端末と相互に通信可能に接続されるとともに、各種ファイルの管理を行なうファイルサーバと通信可能に接続され、このファイルサーバで管理される各種ファイルを利用することができるようになっている。
【０００３】
このようなシステムにおいて、会社側（管理者）が、クライアント端末を使用する社員に対しそのクライアント端末を用いて社内情報等の通知やｅラーニングによる社員教育を行なう場合、通常、各社員が、都合のよい時に自分の意志でクライアント端末を操作し、社内情報等を掲示するサイトやファイルを呼び出して開いたり、社員教育用のサイトにアクセスすることによって、社内情報等の通知やｅラーニングによる社員教育を受けている（例えば下記特許文献１参照）。
【特許文献１】特開２００４−７７７４０号公報（段落００４９，段落００５０および図１１のＦ−１，Ｆ−２）
【発明の開示】
【発明が解決しようとする課題】
【０００４】
しかしながら、現状のシステムでは、各社員が端末によって社内情報等の掲示を参照したりｅラーニングによる社員教育を受けたりする場合、上述のごとく、各社員が、都合のよい時に自分の意志で端末から社内情報掲示用サイトや社員教育用サイトにアクセスしているので、会社側（管理者）が各社員に対する社内情報の通知やｅラーニングによる社員教育をいくら徹底させたくても、各社員の意志や意識に頼らざるを得ない。
【０００５】
このため、端末を使用する各社員に対する社内情報の通知やｅラーニングによる社員教育などの所定の処理を、端末上で確実（強制的）に実行させることを可能にし、社内情報の通知やｅラーニングによる社員教育などを徹底して行なえるようにすることが望まれている。その際、各端末におけるメモリ領域を無駄に消費することなく必要最小限だけ使用しながら、また、システム管理者等に負担を掛けることなく簡易な指示・操作により、上述のような新たな機能を全ての端末において実現させることが望まれている。
【０００６】
本発明は、このような課題に鑑み創案されたもので、クライアント端末の立ち上げ時に所定の処理をクライアント端末上で強制的に実行させる機能を、クライアント端末のメモリ領域を無駄に消費することなく且つ管理者に負担を掛けることなく実現・提供できるようにして、利用者の意志や意識に関係なく、上記所定の処理（例えば、社内情報の通知やｅラーニングによる社員教育など）を確実にかつ徹底して行なえるシステム環境を提供することを目的としている。
【課題を解決するための手段】
【０００７】
上記目的を達成するために、本発明の情報処理システム（請求項１）は、各種ファイルの管理を行なうファイルサーバと、該ファイルサーバにおける前記各種ファイルを利用すべく該ファイルサーバと相互に通信可能に接続されたクライアント端末とをそなえ、該ファイルサーバが、所定の処理を該クライアント端末に強制実行させるエージェントファイルを保持する保持手段と、該クライアント端末からの実行指示を受けると該保持手段における該エージェントファイルを実行する実行手段とをそなえて構成されるとともに、該クライアント端末が、該クライアント端末の起動時に該ファイルサーバにおける該エージェントファイルを実行させるべく前記実行指示を該ファイルサーバに送信する実行指示手段をそなえて構成されていることを特徴としている。
【０００８】
このとき、該保持手段が、前記所定の処理として複数の異なる処理を該クライアント端末にそれぞれ強制実行させる複数のエージェントファイルを保持するとともに、該複数のエージェントファイルの実行スケジュールを保持し、該実行手段が、該クライアント端末からの実行指示を受けると、前記実行スケジュールに従って該複数のエージェントファイルのうちの少なくとも一つを実行するように構成してもよい（請求項２）。また、該クライアント端末において該クライアント端末の利用者が前記所定の処理の完了を確認したことを検知する検知手段をそなえ、該検知手段によって前記所定の処理の完了確認を検知するまで該クライアント端末において前記所定の処理を継続実行させるように構成してもよい（請求項３）。
【０００９】
また、該ファイルサーバおよび該クライアント端末と相互に通信可能に接続され、該クライアント端末を管理する管理サーバをさらにそなえ、該管理サーバが、該ファイルサーバでの該エージェントファイルの実行に応じて、該クライアント端末に前記所定の処理を実行させてもよい（請求項４）。この管理サーバを、該クライアント端末における資産情報を収集し該クライアント端末における資産を管理する資産管理サーバとしてもよく（請求項５）、その場合、該クライアント端末が、該クライアント端末の起動時に、該資産管理サーバによる前記資産情報の収集動作と並行して前記所定の処理を実行するように構成することが望ましい（請求項６）。
【００１０】
なお、該エージェントファイルとしては、前記所定の処理として、該クライアント端末の利用者に対する電子教育を該クライアント端末に実行させるものを用いることができる（請求項７）。この場合、該保持手段が、前記所定の処理として、曜日毎に異なる科目の電子教育を行なうべく複数の科目の電子教育を該クライアント端末にそれぞれ強制実行させる複数のエージェントファイルを保持するとともに、該複数のエージェントファイルの曜日毎の実行スケジュールを保持し、該実行手段が、該クライアント端末からの実行指示を受けると、前記実行スケジュールを参照し曜日に応じたエージェントファイルを実行するように構成してもよい（請求項８）。また、該クライアント端末において、該クライアント端末の利用者が所定数の問題について解答を行なうまで前記電子教育を継続実行させてもよい（請求項９）。さらに、該クライアント端末において、該クライアント端末の利用者が所定数の問題について解答を行なった後に当該問題についての解説を参照したことを確認するための参照確認ボタンを該クライアント端末の表示部に表示し、当該参照確認ボタンがクリック操作されるまで前記電子教育についての表示画面を該表示部上で継続表示させてもよく（請求項１０）、その場合、前記所定数の問題についての解答が不正解であった場合に前記解説および該参照確認ボタンの表示を行なう一方（請求項１１）、前記所定数の問題についての解答が正解であった場合には前記解説および該参照確認ボタンの表示を行なうことなく前記電子教育を終了させてもよい（請求項１２）。
【００１１】
また、該エージェントファイルとしては、前記所定の処理として、該クライアント端末の利用者に対する情報通知を該クライアント端末に実行させるものを用いることができる（請求項１３）。この場合、該クライアント端末において、該クライアント端末の利用者が前記情報通知の内容を参照したことを確認するための参照確認ボタンを該クライアント端末の表示部に表示し、当該参照確認ボタンがクリック操作されるまで前記情報通知を継続実行させてもよい（請求項１４）。
【００１２】
一方、本発明のプログラム（請求項１５）は、クライアント端末によって利用される各種ファイルの管理を行なうファイルサーバを、所定の処理を該クライアント端末に強制実行させるエージェントファイルを保持する保持手段、および、該クライアント端末からの実行指示を受けると該保持手段における該エージェントファイルを実行する実行手段として機能させることを特徴としている。このプログラムによって、該保持手段が、前記所定の処理として複数の異なる処理を該クライアント端末にそれぞれ強制実行させる複数のエージェントファイルを保持するとともに、該複数のエージェントファイルの実行スケジュールを保持し、且つ、該実行手段が、該クライアント端末からの実行指示を受けると、前記実行スケジュールに従って該複数のエージェントファイルのうちの少なくとも一つを実行するように、該ファイルサーバを機能させてもよい（請求項１６）。
【００１３】
また、本発明のプログラム（請求項１７）は、ファイルサーバにおける各種ファイルを利用すべく該ファイルサーバと相互に通信可能に接続されたクライアント端末を、該クライアント端末の起動時に、該ファイルサーバに保持されている、所定の処理を該クライアント端末に強制実行させるエージェントファイルを該ファイルサーバに実行させるべく、実行指示を該ファイルサーバに送信する実行指示手段として機能させることを特徴としている。このプログラムによって、該クライアント端末において該クライアント端末の利用者が前記所定の処理の完了を確認したことを検知する検知手段として、該クライアント端末を機能させるとともに、該検知手段によって前記所定の処理の完了確認を検知するまで該クライアント端末において前記所定の処理を継続実行させてもよい（請求項１８）。
【００１４】
なお、上述したプログラムにおいて、該エージェントファイルは、前記所定の処理として、該クライアント端末の利用者に対する電子教育を該クライアント端末に実行させるものであってもよいし（請求項１９）、前記所定の処理として、該クライアント端末の利用者に対する情報通知を該クライアント端末に実行させるものであってもよい（請求項２０）。
【発明の効果】
【００１５】
上述した本発明の情報処理システムおよびプログラムによれば、クライアント端末の起動時（立ち上げ時）にはクライアント端末からファイルサーバに実行指示が送信されてファイルサーバでエージェントファイルが実行され、所定の処理（例えば電子教育や情報通知など）がクライアント端末上で強制的に実行されることになる。このような機能は、各クライアント端末に当該クライアント端末を実行指示手段として機能させるプログラムをインストールするとともに、エージェントファイルをファイルサーバに設定することによって実現することができる。つまり、上記機能を実現するにあたり、各クライアント端末には簡単なプログラムをインストールするだけでよく、各クライアント端末のメモリ領域を無駄に消費することがない。また、管理者は、複数のクライアント端末によって共用される一つのファイルサーバにエージェントファイルを設定するだけでよく、管理者に負担を掛けることなく、共通の処理（管理者の望む処理）を全てのクライアント端末に強制実行させることができる。
【００１６】
従って、利用者の意志や意識に関係なく上記所定の処理を確実かつ徹底して行なえるシステム環境が、クライアント端末のメモリ領域を無駄に消費することなく且つ管理者に負担を掛けることなく提供される。
このとき、ファイルサーバにおいて、実行スケジュールに従って複数のエージェントファイルのうちの少なくとも一つを実行するように構成することにより、管理者は、曜日や日時などに応じた処理を各クライアント端末に強制実行させることが可能になる。また、クライアント端末の利用者が所定の処理の完了を確認するまでクライアント端末において所定の処理を継続実行させるように構成することにより、上記所定の処理をより確実にかつ徹底して行なうことができる。
【００１７】
また、管理サーバにより、ファイルサーバでのエージェントファイルの実行に応じてクライアント端末に所定の処理を実行させるように構成するとともに、この管理サーバとして資産管理サーバを用い、クライアント端末が、その起動時に、資産管理サーバによる資産情報収集動作と並行して上記所定の処理を実行するように構成することで、クライアント端末において、資産情報収集動作中の無駄時間を、上記所定の処理（例えば電子教育や情報通知など）を行なう時間として有効利用することが可能になる。
【００１８】
なお、所定の処理として、クライアント端末の利用者に対する電子教育（例えばｅラーニングによる社員教育など）をクライアント端末に実行させる場合、その利用者がクライアント端末を立ち上げた際に電子教育を強制的に受けさせられることになり、電子教育を確実に且つ徹底して行なうことができる。この場合、曜日毎の実行スケジュールに従って曜日に応じたエージェントファイルを実行することで、曜日毎に異なる科目の電子教育を行なうことが可能になる。また、クライアント端末の利用者が所定数の問題について解答を行なうまで電子教育を継続実行させることにより、利用者は、所定数の問題の解答を行なわない限り、クライアント端末を通常の運用状態へ移行させることができず、利用者に対する電子教育をより確実に且つ徹底して行なうことができる。さらに、クライアント端末の利用者によって解説の参照確認ボタンがクリック操作されるまで電子教育についての表示画面を表示部上で継続表示させることにより、利用者に問題の解説を強制的に読ませて問題の内容を確実に理解させることができる。このとき、解答が不正解であった場合に前記解説および参照確認ボタンの表示を行ない、解答が正解であった場合には前記解説および参照確認ボタンの表示を行なうことなく電子教育を終了させることにより、不正解者に対してのみ問題の内容を徹底して理解させ、正解者のクライアント端末については直ちに通常の運用状態へ移行させることができ、徹底した電子教育を行ないながら効率のよいシステム運用を実現することができる。
【００１９】
また、所定の処理として、クライアント端末の利用者に対する情報通知（例えば社内情報等の通知）をクライアント端末に実行させる場合、その利用者がクライアント端末を立ち上げた際に情報通知を強制的に参照させられることになり、情報通知を確実に且つ徹底して行なうことができる。この場合、クライアント端末の利用者によって参照確認ボタンがクリック操作されるまで情報通知を継続実行させることにより、利用者は、情報通知の内容を参照して参照確認ボタンをクリック操作しない限り、クライアント端末を通常の運用状態へ移行させることができず、利用者に対する情報通知をより確実に且つ徹底して行なうことができる。
【発明を実施するための最良の形態】
【００２０】
以下、図面を参照して本発明の実施の形態を説明する。
〔１〕本実施形態の情報処理システムの構成
図１は本発明の一実施形態としての情報処理システムの構成を示すブロック図で、この図１に示す本実施形態の情報処理システム１は、例えば企業等の社内に構築されるもので、複数のクライアント端末１０のほかにファイルサーバ２０，資産管理サーバ３０，社内コンテンツサーバ４０および管理コンソール端末５０をそなえて構成され、これらの端末１０，５０およびサーバ２０，３０，４０が社内ＬＡＮ（Local Area Network）６０を介して相互に通信可能に接続されている。
【００２１】
各クライアント端末１０は、企業等の社内において各社員（利用者）によって使用されるパーソナルコンピュータ（ＰＣ）等の情報処理装置によって構成され、後述する実行指示手段１１および検知手段１２としての機能を有している。
ファイルサーバ２０は、複数のクライアント端末１０によって共用され、各クライアント端末１０から社内ＬＡＮ６０を介してアクセス／利用される各種ファイルの保持や管理を行なうもので、保持手段２１および実行手段２２としての機能を有している。
【００２２】
保持手段２１は、実際にはハードディスク等の記憶装置によって構成されるもので、上述した各種ファイルを保持するほか、本実施形態では、図２に示すごとく、所定の処理（例えば電子教育や情報通知など）をクライアント端末１０に強制実行させるための５つのエージェントファイル２１３−１〜２１３−５を保持するとともに、これらのエージェントファイル２１３−１〜２１３−５の実行を制御するための制御プログラムファイル２１１およびスケジュールファイル２１２を保持している。
【００２３】
ここで、５つのエージェントファイル２１３−１〜２１３−５は、資産管理サーバ３０を介して、それぞれ異なる処理をクライアント端末１０に強制実行させるべく、実行手段２２によって実行されるものである。より具体的に説明すると、本実施形態では、エージェントファイル２１３−１〜２１３−５が、前記所定の処理として、例えば、クライアント端末１０の利用者に対する電子教育（ｅラーニングによる社員教育；以下、単にｅラーニングという場合がある）をクライアント端末１０に実行させるものであり、曜日毎に異なる科目の電子教育を行なうべく、各曜日に応じた科目の電子教育をクライアント端末１０にそれぞれ強制実行させるものとなっている。電子教育の内容としては、各科目について一日一問の出題を行なうものとする。このとき、曜日毎の科目としては、例えば、月曜：情報漏洩対策、火曜：業務アプリケーション、水曜：個人情報保護、木曜：危機管理、金曜：簿記といった設定を行なうことができる。なお、何曜日に、エージェントファイル２１３−１〜２１３−５のうちのどれを実行するかについては、後述するスケジュールファイル２１２によって設定される。
【００２４】
制御プログラムファイル（ＡＣＰ：Agent Control Program）２１１は、ファイルサーバ２０を構成するＣＰＵ（Central Processing Unit；図示略）によって実行され、後述する実行手段２２としての機能をファイルサーバ２０に実現させるものである。
スケジュールファイル２１２は、５つのエージェントファイル２１３−１〜２１３−５の曜日毎の実行スケジュール、つまり、各曜日に実行すべきエージェントファイル２１３−ｉ（ｉ＝１〜５）を指定する実行スケジュールを保持するものである。この実行スケジュールは、例えば、５つのエージェントファイル２１３−１〜２１３−５をそれぞれ月曜，火曜，水曜，木曜，金曜に実行するように設定されている。
【００２５】
実行手段２２は、前述した通り、ファイルサーバ２０を構成するＣＰＵが制御プログラムファイル２１１を実行することにより実現される機能であって、クライアント端末１０からの実行指示（後述）を受けると制御プログラムファイル２１１が起動され、スケジュールファイル２１２における実行スケジュールに従って、５つのエージェントファイル２１３−１〜２１３−５のうちの一つ（本実施形態では、クライアント端末１０を起動した日の曜日に応じた科目のｅラーニングを行なうエージェントファイル２１３−ｉ）を選択して実行するようになっている。
【００２６】
資産管理サーバ（管理サーバ）３０は、各クライアント端末１０の管理、より具体的には各クライアント端末１０における資産情報を収集し各クライアント端末１０における資産を管理するもので、本実施形態では、この資産管理サーバ３０が、ファイルサーバ２０で実行されたエージェントファイル２１３−ｉに応じたタスクを実行することにより、そのエージェントファイル２１３−ｉに応じたアプリケーションプログラムを、資産管理サーバ３０の管理下にあるプログラムの中から選択して起動し、クライアント端末１０に所定の処理（曜日に応じたｅラーニング）を実行させるものである。
【００２７】
なお、資産管理サーバ３０により各クライアント端末１０から収集される資産情報（インベントリ／実行環境情報）には、各クライアント端末１０におけるハードウエア資源やソフトウエア資源に関する情報が含まれる。ハードウエア資源に関する情報としては、例えば、コンピュータ名／ＯＳ／ＣＰＵ／ＣＰＵスピード／キーボードタイプ／物理メモリ／利用可能メモリ／ビデオカード／解像度／プリンタ／スワップサイズ／ドメイン名／ログオンユーザ名／モデル名／ネットワークカード／ＭＡＣアドレス／ＩＰアドレス／ネットマスク／デフォルトゲートウェイ／ＤＮＳサーバ／ソケットバージョン／ローカルドライブ毎の総容量や空き容量／ＢＩＯＳバージョン／ＢＩＯＳメーカ／マシンメーカ／マシン名／マシンシリアルマシンＵＵＩＤ／マザーボードメーカ名／マザーボード名／ＣＰＵ ＩＤ／ＣＰＵ外部クロックなどに関する情報が挙げられる。また、ソフトウエア資源に関する情報としては、各クライアント端末１０に保有されているソフトウエア（各種アプリケーションプログラム）に関する情報（例えば、製品名，詳細バージョン，ファイルサイズ，ファイル更新日など）が挙げられる。
【００２８】
社内コンテンツサーバ４０は、例えばインターネット（ＷＥＢ）経由でｅラーニングのためのコンテンツ（科目毎の問題等）を定期的に受けて蓄積するもので、本実施形態における各クライアント端末１０は、資産管理サーバ３０によるタスク実行に伴ってｅラーニングを実行する際には、この社内コンテンツサーバ４０にアクセスして曜日に応じた科目の問題提供（出題）を社内コンテンツサーバ４０から受けることになる。
【００２９】
管理コンソール端末５０は、管理者等によって操作され、本実施形態の情報処理システム１の管理を行なうためのもので、特に、本実施形態では、ファイルサーバ２０の保持手段２１におけるスケジュールファイル２１２やエージェントファイル２１３−１〜２１３−５の内容の設定や変更などを行なうもので、管理者は、この管理コンソール端末５０を用いてスケジュールファイル２１２やエージェントファイル２１３−１〜２１３−５の内容を設定・変更することが可能になっている。
【００３０】
そして、各クライアント端末１０の実行指示手段１１は、各クライアント端末１０のレジストリにＡＣＰ（制御プログラムファイル２１１）の起動用キーを設定することにより実現されるもので、クライアント端末１０の起動時にファイルサーバ２０において制御プログラムファイル２１１を起動させてエージェントファイル２１３−１〜２１３−５のうちの一つを実行させるべく、実行指示（制御プログラム２１１の起動指示）をファイルサーバ２０に送信するものである。
【００３１】
また、各クライアント端末１０の検知手段１２は、クライアント端末１０において、このクライアント端末１０の利用者が所定の処理の完了を確認したことを検知するもので、本実施形態においては、後述する参照確認ボタンが利用者によってクリック操作されたことを検知することにより、上記所定の処理（曜日に応じたｅラーニング）の完了確認を検知するようになっている。
【００３２】
本実施形態の各クライアント端末１０では、後述するごとく、検知手段１２によって上記完了確認を検知するまで上記所定の処理（曜日に応じたｅラーニング）が継続実行されるようになっている。また、本実施形態の各クライアント端末１０では、このクライアント端末１０の起動時に、資産管理サーバ３０による資産情報の収集動作（もしくは一般的なウイルス駆除ツールによるウイルス駆除動作）と並行して上記所定の処理（曜日に応じたｅラーニング）が実行されるようになっている。
【００３３】
各クライアント端末１０は、ｅラーニングを実行する際、上述した通り、社内コンテンツサーバ４０にアクセスして曜日に応じた科目の問題提供（出題）を受け、利用者に対する出題を行なう。そして、クライアント端末１０において、このクライアント端末１０の利用者が出題された問題（ここでは一問）について解答を行なって上記完了確認が検知手段１２によって検知されるまで、ｅラーニングが継続実行される。
【００３４】
より具体的に説明すると、本実施形態では、図５を参照しながら後述するごとく、クライアント端末１０において、このクライアント端末１０の利用者が出題された問題に対する解答を行なった後にその問題についての解説を参照したことを確認するための参照確認ボタン（図示略）をクライアント端末１０の表示部（図示略；ＬＣＤ，ＣＲＴ等のディスプレイ）に表示し、この参照確認ボタンが利用者によってクリック操作されるまでｅラーニングについての表示画面を上記表示部上で強制的に継続表示させるようになっている。
【００３５】
また、変形例として図６を参照しながら後述するごとく、クライアント端末１０において、出題された問題に対する解答が不正解であった場合にその問題の解説および上記参照確認ボタンの表示を行ない、この参照確認ボタンが利用者によってクリック操作されるまでｅラーニングについての表示画面を上記表示部上で強制的に継続表示させる一方、クライアント端末１０において、出題された問題に対する解答が正解であった場合にはその問題の解説および上記参照確認ボタンの表示を行なうことなくｅラーニングを終了させるようにしてもよい。
【００３６】
なお、エージェントファイルが、上記所定の処理として、上述したｅラーニングに代えて、クライアント端末１０の利用者に対する情報通知（例えば社内情報の通知）をクライアント端末１０に実行させるものとして設定されていてもよい。この場合、図７を参照しながら後述するごとく、クライアント端末１０において、このクライアント端末１０の利用者が前記情報通知の内容を参照したことを確認するための参照確認ボタン（図示略）をクライアント端末１０の表示部（図示略）に表示し、この参照確認ボタンがクリック操作されるまで前記情報通知を継続実行させるようになっている。
【００３７】
〔２〕本実施形態の情報処理システムの動作
次に、本実施形態の情報処理システム１の動作について、図２〜図７を参照しながら説明する。ここで、図２は本実施形態の情報処理システム１の動作を説明するための図、図３は本実施形態の情報処理システム１におけるクライアント端末１０の動作を説明するためのフローチャート、図４は本実施形態の情報処理システム１におけるファイルサーバ２０の動作を説明するためのフローチャート、図５は本実施形態のクライアント端末１０でのｅラーニング動作を説明するためのフローチャート、図６は本実施形態のクライアント端末１０でのｅラーニング動作の変形例を説明するためのフローチャート、図７は本実施形態のクライアント端末１０での情報通知動作を説明するためのフローチャートである。
【００３８】
まず、図２を参照しながら、本実施形態の情報処理システム１の動作について概略的に説明する。
企業等の社内において、社員（利用者）が出勤し自分のＰＣ（クライアント端末１０）を立ち上げてログオンすると、クライアント端末１０の実行指示手段１１により、制御プログラムファイル２１１（ＡＣＰ）の起動指示（エージェントファイル実行指示）がファイルサーバ２０に送信される（図２の矢印Ａ１参照）。ファイルサーバ２０でクライアント端末１０から上記起動指示を受けると、制御プログラムファイル２１１が実行されて実行手段２２としての機能が起動され、この実行手段２２により、スケジュールファイル２１２における実行スケジュールに従って、５つのエージェントファイル２１３−１〜２１３−５の中から、クライアント端末１０を起動した日の曜日に応じた科目のｅラーニングを行なうエージェントファイル２１３−ｉが選択されて実行される。
【００３９】
そして、ファイルサーバ２０でエージェントファイル２１３−ｉが実行されると、その実行に応じ（図２の矢印Ａ２参照）、資産管理サーバ３０により、ファイルサーバ２０で実行されたエージェントファイル２１３−ｉに応じたタスクが実行され、そのエージェントファイル２１３−ｉに応じたアプリケーションプログラムが起動され、この資産管理サーバ３０からの指示（図２の矢印Ａ３参照）に応じて、クライアント端末１０において、曜日に応じたｅラーニングが実行されることになる。
【００４０】
ｅラーニングを開始したクライアント端末１０では、社内コンテンツサーバ４０にアクセスして曜日に応じた科目の問題提供（出題）を受け、利用者に対する出題が行なわれ、このクライアント端末１０の利用者が、出題された問題（ここでは一問）に対する解答を行なって、ｅラーニングについての完了確認が検知手段１２によって検知されるまで、ｅラーニングについての表示画面の表示が強制的に継続実行される。
【００４１】
このようにして、毎朝、各社員が端末１０を立ち上げてログオンを行なったタイミングで、その日の曜日に対応したエージェントファイル２１３−ｉがファイルサーバ２０で実行され、その曜日に応じた科目についてのｅラーニング（問題出題）がクライアント端末１０で強制的に行なわれる。
【００４２】
図３に示すフローチャート（ステップＳ１１〜Ｓ１５）に従って、本実施形態の情報処理システム１におけるクライアント端末１０の動作について説明する。
上述したように企業等の社内において社員が出勤し自分のクライアント端末１０を立ち上げてログオンすると（ステップＳ１１のＹＥＳルート）、資産管理サーバ３０による資産情報の収集動作（もしくは一般的なウイルス駆除ツールによるウイルス駆除動作；ステップＳ１２）を行なうのと並行して、クライアント端末１０の実行指示手段１１により、制御プログラムファイル２１１の起動指示がファイルサーバ２０に送信され（ステップＳ１３；図２の矢印Ａ１参照）、図２を参照しながら上述した手順により、クライアント端末１０において、曜日に応じた科目についてのｅラーニング（問題出題）が強制的に実行される（ステップＳ１４）。
【００４３】
資産管理サーバ３０による資産情報の収集動作（もしくはウイルス駆除動作）を完了するとともに、検知手段１２によるｅラーニングについての完了確認（上記参照確認ボタンのクリック操作）の検知が行なわれると、クライアント端末１０は、通常の運用状態へ移行する（ステップＳ１５）。
【００４４】
図４に示すフローチャート（ステップＳ２１〜Ｓ２５）に従って、本実施形態の情報処理システム１におけるファイルサーバ２０の動作について説明する。
ファイルサーバ２０でクライアント端末１０からＡＣＰ起動指示（実行指示）を受けると（ステップＳ２１のＹＥＳルート）、制御プログラムファイル２１１が実行されて実行手段２２としての機能が起動される（ステップＳ２２）。この実行手段２２により、スケジュールファイル２１２における実行スケジュールが参照され（ステップＳ２３）、５つのエージェントファイル２１３−１〜２１３−５の中から、本日の曜日に応じた科目のｅラーニングを行なうエージェントファイル２１３−ｉが選択され（ステップＳ２４）、選択されたエージェントファイル２１３−ｉが実行される（ステップＳ２５）。
【００４５】
図５に示すフローチャート（ステップＳ３１〜Ｓ３６）に従って、本実施形態のクライアント端末１０でのｅラーニング動作（図３のステップＳ１４）について説明する。
ｅラーニングを開始したクライアント端末１０では、社内コンテンツサーバ４０から曜日に応じた科目の問題を一問だけ提供され、利用者に対する出題が行なわれる（ステップＳ３１）。そして、その問題に対する解答の入力が利用者によって行なわれると（ステップＳ３２のＹＥＳルート）、その解答の採点が直ちに行なわれ（ステップＳ３３）、解答の正解／不正解にかかわらず、その問題についての正しい解答および解説がクライアント端末１０の表示部上に表示されるとともに（ステップＳ３４）、参照確認ボタンがクライアント端末１０の表示部上に表示される（ステップＳ３５）。
【００４６】
そして、表示部上で正しい解答や解説を参照した利用者が、マウス等を操作して参照確認ボタンをクリック操作するまで（ステップＳ３６での判定結果がＮＯからＹＥＳになるまで）、つまりは、ｅラーニングについての完了確認が検知手段１２によって検知されるまで、ｅラーニングについての表示画面の表示、ここでは出題された問題についての正しい解答および解説と参照確認ボタンとの表示が強制的に継続実行される（ステップＳ３４，Ｓ３５）。
【００４７】
図６に示すフローチャート（ステップＳ３１〜Ｓ３６，Ｓ３３１）に従って、本実施形態のクライアント端末１０でのｅラーニング動作（図３のステップＳ１４）の変形例について説明する。
図６に示すｅラーニング動作では、ステップＳ３３での採点結果（正解／不正解）に応じて、ステップＳ３４，Ｓ３５による表示を行なうか否かを切り替えている点が、図５に示すｅラーニング動作と異なっている。
【００４８】
つまり、ステップＳ３３での採点の結果、出題された問題に対する解答が不正解であった場合（ステップＳ３３１のＮＯルート）、その問題の正解や解説の表示および参照確認ボタンの表示を行ない（ステップＳ３４，Ｓ３５）、この参照確認ボタンが利用者によってクリック操作されるまで（ステップＳ３６での判定結果がＮＯからＹＥＳになるまで）、上述と同様、ｅラーニングについての表示画面が強制的に継続表示される（ステップＳ３４，Ｓ３５）。これに対し、出題された問題に対する解答が正解であった場合（ステップＳ３３１のＹＥＳルート）には、ステップＳ３４，Ｓ３５の動作をスキップさせ、その問題の正解／解説および上記参照確認ボタンの表示を行なうことなくｅラーニングを終了する。
【００４９】
最後に、エージェントファイルが、上記所定の処理として、上述したｅラーニングに代えて、クライアント端末１０の利用者に対する情報通知（例えば社内情報の通知）をクライアント端末１０に実行させるものである場合の、本実施形態のクライアント端末１０での情報通知動作について、図７に示すフローチャート（ステップＳ４１〜Ｓ４３）に従って説明する。
【００５０】
この場合、ファイルサーバ２０で情報通知用のエージェントファイルが実行され、その実行に応じ、資産管理サーバ３０により、ファイルサーバ２０で実行されたエージェントファイルに応じたタスクが実行され、そのエージェントファイルに応じたアプリケーションプログラムが起動され、この資産管理サーバ３０からの指示に応じて、クライアント端末１０において社内情報等の通知が実行される。具体的には、通知すべき情報がクライアント端末１０の表示部上に表示される（ステップＳ４１）。このとき、参照確認ボタンもクライアント端末１０の表示部上に表示される（ステップＳ４２）。
【００５１】
そして、表示部上で表示された情報の内容を参照した利用者が、マウス等を操作して参照確認ボタンをクリック操作するまで（ステップＳ４３での判定結果がＮＯからＹＥＳになるまで）、情報通知画面と参照確認ボタンとの表示が強制的に継続実行される（ステップＳ４１，Ｓ４２）。
なお、所定の処理として情報通知を行なう場合には、ｅラーニングを行なう場合に用いた上述と同様の実行スケジュールに従って、日付や曜日に応じて異なる内容の情報を通知するようにしてもよいし、実行スケジュールを設定せず、通知すべき情報がある場合にのみ情報通知を行なうようにしてもよい。
【００５２】
〔３〕本実施形態の情報処理システムの効果
このように、本発明の一実施形態としての情報処理システム１によれば、クライアント端末１０の起動時（立ち上げ時）にはクライアント端末１０からファイルサーバ２０に実行指示が送信されてファイルサーバ２０でエージェントファイル２１３−ｉが実行され、所定の処理（例えばｅラーニングや情報通知など）がクライアント端末１０上で強制的に実行されることになる。
【００５３】
このような機能は、各クライアント端末１０にこのクライアント端末１０を実行指示手段１１として機能させるプログラムをインストールするとともに、エージェントファイル２１３−ｉをファイルサーバ２０に設定することによって極めて容易に実現することができる。つまり、上記機能を実現するにあたり、各クライアント端末１０には簡単なプログラムをインストールする〔具体的には、各クライアント端末１０のレジストリにＡＣＰ（制御プログラムファイル２１１）の起動用キーを設定する〕だけでよく、各クライアント端末１０のメモリ領域を無駄に消費することがない。また、管理者は、例えば管理コンソール端末５０を通じて複数のクライアント端末１０によって共用される一つのファイルサーバ２０にエージェントファイル２１３−ｉを設定するだけでよく、管理者に特別な負担を掛けることなく、共通の処理（管理者の望む処理）を全てのクライアント端末１０に強制実行させることができる。
【００５４】
従って、利用者（社員）の意志や意識に関係なくｅラーニングや情報通知等の処理を確実かつ徹底して行なえるシステム環境が、クライアント端末１０のメモリ領域を無駄に消費することなく且つ管理者に負担を掛けることなく提供される。
このとき、ファイルサーバ２０において、スケジュールファイル２１２の実行スケジュールに従って複数のエージェントファイル２１３−１〜２１３−５のうちの一つを選択して実行するように構成することにより、管理者は、曜日や日時などに応じた処理を各クライアント端末１０に強制実行させることが可能になる。また、クライアント端末１０の利用者がｅラーニングや情報通知等の処理の完了を確認するまでクライアント端末１０においてその処理が強制的に継続実行されるので、その処理をより確実にかつ徹底して行なうことができる。
【００５５】
また、クライアント端末１０が、その起動時に、資産管理サーバ３０による資産情報収集動作（あるいはウイルス駆除動作等）と並行してｅラーニングや情報通知等の処理を実行するように構成されているので、クライアント端末１０において、資産情報収集動作中の無駄時間やウイルス駆除動作中の無駄時間を、上記処理を行なう時間として有効利用することが可能になる。
【００５６】
そして、所定の処理として、クライアント端末１０の利用者に対するｅラーニングをクライアント端末１０に実行させ、その利用者がクライアント端末１０を立ち上げた際にｅラーニングを強制的に受けさせられることになり、ｅラーニングを確実に且つ徹底して行なうことができる。このとき、曜日毎の実行スケジュールに従って曜日に応じたエージェントファイル２１３−ｉを実行することで、曜日毎に異なる科目のｅラーニングを行なうことが可能になる。つまり、各社員は、毎朝、端末１０を立ち上げてログオンを行なったタイミングで、その日の曜日に対応したエージェントファイル２１３−ｉがファイルサーバ２０で実行され、その曜日に応じた科目についてのｅラーニング（問題出題）がクライアント端末１０で強制的に行なわれる。
【００５７】
また、クライアント端末１０の利用者が所定数の問題（ここでは一問）について解答を行なうまでｅラーニングを強制的に継続実行させることにより、利用者は、その問題に対する解答を行なわない限り、クライアント端末１０を通常の運用状態へ移行させることができず、利用者に対するｅラーニングをより確実に且つ徹底して行なうことができる。
【００５８】
さらに、クライアント端末１０の利用者によって正しい解答や解説の参照確認ボタンがクリック操作されるまでｅラーニングについての表示画面を表示部上で強制的に継続表示させることにより、利用者に問題の正解や解説を強制的に読ませて問題の内容を確実に理解させることができる。
【００５９】
その際、解答が不正解であった場合に正解／解説および参照確認ボタンの表示を行ない、解答が正解であった場合にはその表示を行なうことなくｅラーニングを終了させることにより、不正解者に対してのみ問題の内容を徹底して理解させ、正解者のクライアント端末１０については直ちに通常の運用状態へ移行させることができ、徹底したｅラーニングを行ないながら効率のよいシステム運用を実現することができる。
【００６０】
また、本実施形態のｅラーニング手法では、各社員に、曜日毎に異なる科目の問題を毎日一問ずつ解答させることにより、各社員に特別な負担をかけることなく、各科目の教育内容を確実に啓蒙することができる。さらに、エージェントファイル２１３−ｉやスケジュールファイル２１２の内容は、管理者が管理コンソール端末５０を操作することによって容易に設定したり変更したりすることができる。また、ｅラーニングの際に出題される各種問題のコンテンツについては、インターネット（ＷＥＢ）経由で社内コンテンツサーバ４０に定期的に配布し蓄積することで、同一社員に同一の問題が出題されることを防止することができる。
【００６１】
なお、所定の処理として、クライアント端末１０の利用者に対する情報通知（例えば社内情報等の通知）をクライアント端末１０に実行させる場合、その利用者がクライアント端末１０を立ち上げた際に情報通知を強制的に参照させられることになり、情報通知を確実に且つ徹底して行なうことができる。この場合、クライアント端末１０の利用者によって参照確認ボタンがクリック操作されるまで情報通知を継続実行させることにより、利用者は、情報通知の内容を参照して参照確認ボタンをクリック操作しない限り、クライアント端末１０を通常の運用状態へ移行させることができず、利用者に対する情報通知をより確実に且つ徹底して行なうことができる。
【００６２】
〔４〕その他
なお、本発明は上述した実施形態に限定されるものではなく、本発明の趣旨を逸脱しない範囲で種々変形して実施することができる。
例えば、上述した実施形態では、所定の処理として電子教育と情報通知とを別々に行なう場合について説明したが、本発明はこれに限定されるものではなく、両方をクライアント端末１０に実行させるようにしてもよい。例えば、電子教育（ｅラーニング）終了時に社内情報等の情報通知を併せて行なうようにしてもよい。
【００６３】
また、上述した実施形態では、実行スケジュールが曜日毎に実行すべきエージェントファイルを指定するものとして与えられる場合について説明したが、本発明はこれに限定されるものではなく、実行スケジュールは、曜日に限らず、ある特定の日付や、月や、季節などに応じて実行すべきエージェントファイルを指定するものとして設定してもよい。
【００６４】
さらに、上述した実施形態では、一回あたりの出題数を一問とし、５科目についてのｅラーニングを行なう場合について説明したが、本発明は、これらの出題数や科目数に限定されるものではない。ｅラーニングによる問題の出題手法として、以下のような手法を採用してもよい。例えば、一つのテーマ（科目）について問題を予め１００問準備し、これらの１００問の問題を２０問ずつに分けて５つのクール（問題列）を作成し、各クールの出題順序をずらしながら各社員に出題する。このような出題手法を採ることで、近くの社員（同じ部署／グループ内の社員）と同じ問題が出題されるのを防ぎ各社員の学習効果を高めることができる。また、そのテーマ（科目）について１つのクールを終了する都度、各社員の採点結果を集計してレーダーチャートを作成してもよい。このようにして全てのクールに対する解答を終了した段階で社員毎に得られたレーダーチャートに基づいて、管理者（出題者）は、各社員の理解度の状況や傾向、学習効果の程度などを把握することができる。
【００６５】
ところで、上述した実行指示手段１１および検知手段１２としての機能（全部または一部の機能）は、クライアント端末１０として機能するコンピュータ（ＣＰＵ，情報処理装置，各種端末を含む）が所定のアプリケーションプログラムを実行することによって実現されるとともに、同様に、上述した保持手段２１および実行手段２２としての機能（全部または一部の機能）は、ファイルサーバ２０として機能するコンピュータ（ＣＰＵ，情報処理装置，各種端末を含む）が所定のアプリケーションプログラム（制御プログラムファイル２１１の内容を含む）を実行することによって実現される。
【００６６】
そのアプリケーションプログラムは、例えばフレキシブルディスク，ＣＤ（ＣＤ−ＲＯＭ，ＣＤ−Ｒ，ＣＤ−ＲＷなど），ＤＶＤ（ＤＶＤ−ＲＯＭ，ＤＶＤ−ＲＡＭ，ＤＶＤ−Ｒ，ＤＶＤ−ＲＷ，ＤＶＤ＋Ｒ，ＤＶＤ＋ＲＷなど）等のコンピュータ読取可能な記録媒体に記録された形態で提供される。この場合、コンピュータはその記録媒体からアプリケーションプログラムを読み取って内部記憶装置または外部記憶装置に転送し格納して用いる。また、そのアプリケーションプログラムを、例えば磁気ディスク，光ディスク，光磁気ディスク等の記憶装置（記録媒体）に記録しておき、その記憶装置から通信回線を介してコンピュータに提供するようにしてもよい。
【００６７】
ここで、コンピュータとは、ハードウエアとＯＳ（オペレーティングシステム）とを含む概念であり、ＯＳの制御の下で動作するハードウエアを意味している。また、ＯＳが不要でアプリケーションプログラム単独でハードウェアを動作させるような場合には、そのハードウェア自体がコンピュータに相当する。ハードウエアは、少なくとも、ＣＰＵ等のマイクロプロセッサと、記録媒体に記録されたコンピュータプログラムを読み取るための手段とをそなえている。上記所定のアプリケーションプログラムは、上述したクライアント端末１０やファイルサーバ２０として機能するコンピュータに、実行指示手段１１，検知手段１２，保持手段２１および実行手段２２としての機能を実現させるプログラムコードを含んでいる。また、その機能の一部は、アプリケーションプログラムではなくＯＳによって実現されてもよい。
【００６８】
さらに、本実施形態における記録媒体としては、上述したフレキシブルディスク，ＣＤ，ＤＶＤ，磁気ディスク，光ディスク，光磁気ディスクのほか、ＩＣカード，ＲＯＭカートリッジ，磁気テープ，パンチカード，コンピュータの内部記憶装置（ＲＡＭ，ＲＯＭ等のメモリ），外部記憶装置等や、バーコードなどの符号が印刷された印刷物等の、コンピュータ読取可能な種々の媒体を利用することもできる。
【図面の簡単な説明】
【００６９】
【図１】本発明の一実施形態としての情報処理システムの構成を示すブロック図である。
【図２】本実施形態の情報処理システムの動作を説明するための図である。
【図３】本実施形態の情報処理システムにおけるクライアント端末の動作を説明するためのフローチャートである。
【図４】本実施形態の情報処理システムにおけるファイルサーバの動作を説明するためのフローチャートである。
【図５】本実施形態のクライアント端末でのｅラーニング動作を説明するためのフローチャートである。
【図６】本実施形態のクライアント端末でのｅラーニング動作の変形例を説明するためのフローチャートである。
【図７】本実施形態のクライアント端末での情報通知動作を説明するためのフローチャートである。
【符号の説明】
【００７０】
１    情報処理システム
１０    クライアント端末
１１    実行指示手段
１２    検知手段
２０    ファイルサーバ
２１    保持手段
２１１    制御プログラムファイル
２１２    スケジュールファイル（実行スケジュール）
２１３−１〜２１３−５    エージェントファイル
２２    実行手段
３０    資産管理サーバ（管理サーバ）
４０    社内コンテンツサーバ
５０    管理コンソール端末
６０    社内ＬＡＮ
【図１】
2006127402.tif 000003
【図２】
2006127402.tif 000004
【図３】
2006127402.tif 000005
【図４】
2006127402.tif 000006
【図５】
2006127402.tif 000007
【図６】
2006127402.tif 000008
【図７】
2006127402.tif 000009
【手続補正書】
【提出日】平成17年3月8日(2005.3.8)
【手続補正１】
【補正対象書類名】特許請求の範囲
【補正対象項目名】請求項１
【補正方法】変更
【補正の内容】
【請求項１】
各種ファイルの管理を行なうファイルサーバと、
該ファイルサーバにおける前記各種ファイルを利用すべく該ファイルサーバと相互に通信可能に接続されたクライアント端末とをそなえ、
該ファイルサーバが、
所定の処理を該クライアント端末に強制実行させるエージェントファイルを保持する保持手段と、
該ファイルサーバにログオンした該クライアント端末からの実行指示を受けると該保持手段における該エージェントファイルを実行する実行手段とをそなえて構成されるとともに、
該クライアント端末が、
該クライアント端末の利用者が該クライアント端末を立ち上げ該ファイルサーバにログオンする都度、該ファイルサーバにおける該エージェントファイルを実行させるべく前記実行指示を該ファイルサーバに送信する実行指示手段をそなえて構成されていることを特徴とする、情報処理システム。
【手続補正２】
【補正対象書類名】特許請求の範囲
【補正対象項目名】請求項１５
【補正方法】変更
【補正の内容】
【請求項１５】
クライアント端末によって利用される各種ファイルの管理を行なうファイルサーバを、
所定の処理を、該ファイルサーバにログオンした該クライアント端末に強制実行させるエージェントファイルを保持する保持手段、および、
該クライアント端末からの実行指示を受けると該保持手段における該エージェントファイルを実行する実行手段として機能させることを特徴とする、プログラム。
【手続補正３】
【補正対象書類名】特許請求の範囲
【補正対象項目名】請求項１７
【補正方法】変更
【補正の内容】
【請求項１７】
ファイルサーバにおける各種ファイルを利用すべく該ファイルサーバと相互に通信可能に接続されたクライアント端末を、
該クライアント端末の利用者が該クライアント端末を立ち上げ該ファイルサーバにログオンする都度、該ファイルサーバに保持されている、所定の処理を該クライアント端末に強制実行させるエージェントファイルを該ファイルサーバに実行させるべく、実行指示を該ファイルサーバに送信する実行指示手段として機能させることを特徴とする、プログラム。
【手続補正４】
【補正対象書類名】明細書
【補正対象項目名】０００７
【補正方法】変更
【補正の内容】
【０００７】
上記目的を達成するために、本発明の情報処理システム（請求項１）は、各種ファイルの管理を行なうファイルサーバと、該ファイルサーバにおける前記各種ファイルを利用すべく該ファイルサーバと相互に通信可能に接続されたクライアント端末とをそなえ、該ファイルサーバが、所定の処理を該クライアント端末に強制実行させるエージェントファイルを保持する保持手段と、該ファイルサーバにログオンした該クライアント端末からの実行指示を受けると該保持手段における該エージェントファイルを実行する実行手段とをそなえて構成されるとともに、該クライアント端末が、該クライアント端末の利用者が該クライアント端末を立ち上げ該ファイルサーバにログオンする都度、該ファイルサーバにおける該エージェントファイルを実行させるべく前記実行指示を該ファイルサーバに送信する実行指示手段をそなえて構成されていることを特徴としている。
【手続補正５】
【補正対象書類名】明細書
【補正対象項目名】００１２
【補正方法】変更
【補正の内容】
【００１２】
一方、本発明のプログラム（請求項１５）は、クライアント端末によって利用される各種ファイルの管理を行なうファイルサーバを、所定の処理を、該ファイルサーバにログオンした該クライアント端末に強制実行させるエージェントファイルを保持する保持手段、および、該クライアント端末からの実行指示を受けると該保持手段における該エージェントファイルを実行する実行手段として機能させることを特徴としている。このプログラムによって、該保持手段が、前記所定の処理として複数の異なる処理を該クライアント端末にそれぞれ強制実行させる複数のエージェントファイルを保持するとともに、該複数のエージェントファイルの実行スケジュールを保持し、且つ、該実行手段が、該クライアント端末からの実行指示を受けると、前記実行スケジュールに従って該複数のエージェントファイルのうちの少なくとも一つを実行するように、該ファイルサーバを機能させてもよい（請求項１６）。
【手続補正６】
【補正対象書類名】明細書
【補正対象項目名】００１３
【補正方法】変更
【補正の内容】
【００１３】
また、本発明のプログラム（請求項１７）は、ファイルサーバにおける各種ファイルを利用すべく該ファイルサーバと相互に通信可能に接続されたクライアント端末を、該クライアント端末の利用者が該クライアント端末を立ち上げ該ファイルサーバにログオンする都度、該ファイルサーバに保持されている、所定の処理を該クライアント端末に強制実行させるエージェントファイルを該ファイルサーバに実行させるべく、実行指示を該ファイルサーバに送信する実行指示手段として機能させることを特徴としている。このプログラムによって、該クライアント端末において該クライアント端末の利用者が前記所定の処理の完了を確認したことを検知する検知手段として、該クライアント端末を機能させるとともに、該検知手段によって前記所定の処理の完了確認を検知するまで該クライアント端末において前記所定の処理を継続実行させてもよい（請求項１８）。
【手続補正書】
【提出日】平成17年7月7日(2005.7.7)
【手続補正１】
【補正対象書類名】特許請求の範囲
【補正対象項目名】全文
【補正方法】変更
【補正の内容】
【特許請求の範囲】
【請求項１】
各種ファイルの管理を行なうファイルサーバと、
該ファイルサーバにおける前記各種ファイルを利用すべく該ファイルサーバと相互に通信可能に接続されたクライアント端末とをそなえ、
該ファイルサーバが、
所定の処理を該クライアント端末に強制実行させるエージェントファイルを保持する保持手段と、
該ファイルサーバにログオンした該クライアント端末からの実行指示を受けると該保持手段における該エージェントファイルを実行する実行手段とをそなえて構成されるとともに、
該クライアント端末が、
該クライアント端末の利用者が該クライアント端末を立ち上げ該ファイルサーバにログオンする都度、該ファイルサーバにおける該エージェントファイルを実行させるべく前記実行指示を該ファイルサーバに送信する実行指示手段と、
該クライアント端末において該クライアント端末の利用者が前記所定の処理の完了を確認したことを検知する検知手段とをそなえて構成され、
該検知手段によって前記所定の処理の完了確認を検知するまで該クライアント端末において前記所定の処理を継続実行させることを特徴とする、情報処理システム。
【請求項２】
該保持手段が、前記所定の処理として複数の異なる処理を該クライアント端末にそれぞれ強制実行させる複数のエージェントファイルを保持するとともに、該複数のエージェントファイルの実行スケジュールを保持し、
該実行手段が、該クライアント端末からの実行指示を受けると、前記実行スケジュールに従って該複数のエージェントファイルのうちの少なくとも一つを実行することを特徴とする、請求項１記載の情報処理システム。
【請求項３】
該ファイルサーバおよび該クライアント端末と相互に通信可能に接続され、該クライアント端末を管理する管理サーバをさらにそなえ、
該管理サーバが、該ファイルサーバでの該エージェントファイルの実行に応じて、該クライアント端末に前記所定の処理を実行させることを特徴とする、請求項１記載の情報処理システム。
【請求項４】
該管理サーバが、該クライアント端末における資産情報を収集し該クライアント端末における資産を管理する資産管理サーバであることを特徴とする、請求項３記載の情報処理システム。
【請求項５】
該クライアント端末が、該クライアント端末の起動時に、該資産管理サーバによる前記資産情報の収集動作と並行して前記所定の処理を実行することを特徴とする、請求項４記載の情報処理システム。
【請求項６】
該エージェントファイルが、前記所定の処理として、該クライアント端末の利用者に対する電子教育を該クライアント端末に実行させることを特徴とする、請求項１〜請求項５のいずれか一項に記載の情報処理システム。
【請求項７】
該保持手段が、前記所定の処理として、曜日毎に異なる科目の電子教育を行なうべく複数の科目の電子教育を該クライアント端末にそれぞれ強制実行させる複数のエージェントファイルを保持するとともに、該複数のエージェントファイルの曜日毎の実行スケジュールを保持し、
該実行手段が、該クライアント端末からの実行指示を受けると、前記実行スケジュールを参照し曜日に応じたエージェントファイルを実行することを特徴とする、請求項６記載の情報処理システム。
【請求項８】
該クライアント端末において、該クライアント端末の利用者が所定数の問題について解答を行なうまで前記電子教育を継続実行させることを特徴とする、請求項６または請求項７に記載の情報処理システム。
【請求項９】
該クライアント端末において、該クライアント端末の利用者が所定数の問題について解答を行なった後に当該問題についての解説を参照したことを確認するための参照確認ボタンを該クライアント端末の表示部に表示し、当該参照確認ボタンがクリック操作されるまで前記電子教育についての表示画面を該表示部上で継続表示させることを特徴とする、請求項６または請求項７に記載の情報処理システム。
【請求項１０】
該クライアント端末において、前記所定数の問題についての解答が不正解であった場合に前記解説および該参照確認ボタンの表示を行なうことを特徴とする、請求項９記載の情報処理システム。
【請求項１１】
該クライアント端末において、前記所定数の問題についての解答が正解であった場合には前記解説および該参照確認ボタンの表示を行なうことなく前記電子教育を終了させることを特徴とする、請求項９または請求項１０に記載の情報処理システム。
【請求項１２】
該エージェントファイルが、前記所定の処理として、該クライアント端末の利用者に対する情報通知を該クライアント端末に実行させることを特徴とする、請求項１〜請求項１１のいずれか一項に記載の情報処理システム。
【請求項１３】
該クライアント端末において、該クライアント端末の利用者が前記情報通知の内容を参照したことを確認するための参照確認ボタンを該クライアント端末の表示部に表示し、当該参照確認ボタンがクリック操作されるまで前記情報通知を継続実行させることを特徴とする、請求項１２記載の情報処理システム。
【請求項１４】
ファイルサーバにおける各種ファイルを利用すべく該ファイルサーバと相互に通信可能に接続されたクライアント端末を、
該クライアント端末の利用者が該クライアント端末を立ち上げ該ファイルサーバにログオンする都度、該ファイルサーバに保持されている、所定の処理を該クライアント端末に強制実行させるエージェントファイルを該ファイルサーバに実行させるべく、実行指示を該ファイルサーバに送信する実行指示手段、および、
該クライアント端末において該クライアント端末の利用者が前記所定の処理の完了を確認したことを検知する検知手段として機能させるとともに、
該検知手段によって前記所定の処理の完了確認を検知するまで該クライアント端末において前記所定の処理を継続実行させることを特徴とする、プログラム。
【請求項１５】
該エージェントファイルが、前記所定の処理として、該クライアント端末の利用者に対する電子教育を該クライアント端末に実行させることを特徴とする、請求項１４記載のプログラム。
【請求項１６】
該エージェントファイルが、前記所定の処理として、該クライアント端末の利用者に対する情報通知を該クライアント端末に実行させることを特徴とする、請求項１４または請求項１５に記載のプログラム。
【手続補正２】
【補正対象書類名】明細書
【補正対象項目名】０００７
【補正方法】変更
【補正の内容】
【０００７】
上記目的を達成するために、本発明の情報処理システム（請求項１）は、各種ファイルの管理を行なうファイルサーバと、該ファイルサーバにおける前記各種ファイルを利用すべく該ファイルサーバと相互に通信可能に接続されたクライアント端末とをそなえ、該ファイルサーバが、所定の処理を該クライアント端末に強制実行させるエージェントファイルを保持する保持手段と、該ファイルサーバにログオンした該クライアント端末からの実行指示を受けると該保持手段における該エージェントファイルを実行する実行手段とをそなえて構成されるとともに、該クライアント端末が、該クライアント端末の利用者が該クライアント端末を立ち上げ該ファイルサーバにログオンする都度、該ファイルサーバにおける該エージェントファイルを実行させるべく前記実行指示を該ファイルサーバに送信する実行指示手段と、該クライアント端末において該クライアント端末の利用者が前記所定の処理の完了を確認したことを検知する検知手段とをそなえて構成され、該検知手段によって前記所定の処理の完了確認を検知するまで該クライアント端末において前記所定の処理を継続実行させることを特徴としている。
【手続補正３】
【補正対象書類名】明細書
【補正対象項目名】０００８
【補正方法】変更
【補正の内容】
【０００８】
このとき、該保持手段が、前記所定の処理として複数の異なる処理を該クライアント端末にそれぞれ強制実行させる複数のエージェントファイルを保持するとともに、該複数のエージェントファイルの実行スケジュールを保持し、該実行手段が、該クライアント端末からの実行指示を受けると、前記実行スケジュールに従って該複数のエージェントファイルのうちの少なくとも一つを実行するように構成してもよい（請求項２）。
【手続補正４】
【補正対象書類名】明細書
【補正対象項目名】０００９
【補正方法】変更
【補正の内容】
【０００９】
また、該ファイルサーバおよび該クライアント端末と相互に通信可能に接続され、該クライアント端末を管理する管理サーバをさらにそなえ、該管理サーバが、該ファイルサーバでの該エージェントファイルの実行に応じて、該クライアント端末に前記所定の処理を実行させてもよい（請求項３）。この管理サーバを、該クライアント端末における資産情報を収集し該クライアント端末における資産を管理する資産管理サーバとしてもよく（請求項４）、その場合、該クライアント端末が、該クライアント端末の起動時に、該資産管理サーバによる前記資産情報の収集動作と並行して前記所定の処理を実行するように構成することが望ましい（請求項５）。
【手続補正５】
【補正対象書類名】明細書
【補正対象項目名】００１０
【補正方法】変更
【補正の内容】
【００１０】
なお、該エージェントファイルとしては、前記所定の処理として、該クライアント端末の利用者に対する電子教育を該クライアント端末に実行させるものを用いることができる（請求項６）。この場合、該保持手段が、前記所定の処理として、曜日毎に異なる科目の電子教育を行なうべく複数の科目の電子教育を該クライアント端末にそれぞれ強制実行させる複数のエージェントファイルを保持するとともに、該複数のエージェントファイルの曜日毎の実行スケジュールを保持し、該実行手段が、該クライアント端末からの実行指示を受けると、前記実行スケジュールを参照し曜日に応じたエージェントファイルを実行するように構成してもよい（請求項７）。また、該クライアント端末において、該クライアント端末の利用者が所定数の問題について解答を行なうまで前記電子教育を継続実行させてもよい（請求項８）。さらに、該クライアント端末において、該クライアント端末の利用者が所定数の問題について解答を行なった後に当該問題についての解説を参照したことを確認するための参照確認ボタンを該クライアント端末の表示部に表示し、当該参照確認ボタンがクリック操作されるまで前記電子教育についての表示画面を該表示部上で継続表示させてもよく（請求項９）、その場合、前記所定数の問題についての解答が不正解であった場合に前記解説および該参照確認ボタンの表示を行なう一方（請求項１０）、前記所定数の問題についての解答が正解であった場合には前記解説および該参照確認ボタンの表示を行なうことなく前記電子教育を終了させてもよい（請求項１１）。
【手続補正６】
【補正対象書類名】明細書
【補正対象項目名】００１１
【補正方法】変更
【補正の内容】
【００１１】
また、該エージェントファイルとしては、前記所定の処理として、該クライアント端末の利用者に対する情報通知を該クライアント端末に実行させるものを用いることができる（請求項１２）。この場合、該クライアント端末において、該クライアント端末の利用者が前記情報通知の内容を参照したことを確認するための参照確認ボタンを該クライアント端末の表示部に表示し、当該参照確認ボタンがクリック操作されるまで前記情報通知を継続実行させてもよい（請求項１３）。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
また、本発明のプログラム（請求項１４）は、ファイルサーバにおける各種ファイルを利用すべく該ファイルサーバと相互に通信可能に接続されたクライアント端末を、該クライアント端末の利用者が該クライアント端末を立ち上げ該ファイルサーバにログオンする都度、該ファイルサーバに保持されている、所定の処理を該クライアント端末に強制実行させるエージェントファイルを該ファイルサーバに実行させるべく、実行指示を該ファイルサーバに送信する実行指示手段、および、該クライアント端末において該クライアント端末の利用者が前記所定の処理の完了を確認したことを検知する検知手段として機能させるとともに、該検知手段によって前記所定の処理の完了確認を検知するまで該クライアント端末において前記所定の処理を継続実行させることを特徴としている。
【手続補正９】
【補正対象書類名】明細書
【補正対象項目名】００１４
【補正方法】変更
【補正の内容】
【００１４】
なお、上述したプログラムにおいて、該エージェントファイルは、前記所定の処理として、該クライアント端末の利用者に対する電子教育を該クライアント端末に実行させるものであってもよいし（請求項１５）、前記所定の処理として、該クライアント端末の利用者に対する情報通知を該クライアント端末に実行させるものであってもよい（請求項１６）。